(57)【特許請求の範囲】
【請求項１】
外周面にシールド部材が被さって固定部材で固定されるシールドシェルであって、
前記外周面には、前記シールド部材の固定領域が位置する後部から前部に向けて拡径する段差部と、周方向の一部から外側に突出し、前記固定領域に取り付けられる前記固定部材の前端位置を規制する位置規制部とが、設けられていることを特徴とするシールドシェル。
【請求項２】
前記外周面がほぼ平坦な直線部を有し、前記位置規制部が前記直線部に設けられていることを特徴とする請求項１記載のシールドシェル。
【請求項３】
前記前部には、前記シールド部材及び前記固定部材を包囲するグロメットが被せられ、前記位置規制部が前記後部に進入する形態で設けられていることを特徴とする請求項１又は２記載のシールドシェル。
【請求項４】
前記外周面の後端には、フランジ部が外側に張り出して設けられていることを特徴とする請求項１ないし３のいずれか１項記載のシールドシェル。
【請求項５】
請求項１ないし４のいずれか１項記載のシールドシェルと、前記シールドシェルが取り付けられるハウジングと、前記ハウジングに収容される端子金具とを備え、前記シールド部材が前記端子金具に接続された電線の周囲を覆うように設けられていることを特徴とするシールドコネクタ。
【請求項６】
前記ハウジングとの間に前記シールドシェルを挟持するカバーを備え、前記カバーにおける前記位置規制部と対向する位置には、逃げ凹部が設けられていることを特徴とする請求項５記載のシールドコネクタ。
【発明の詳細な説明】
【技術分野】
【０００１】
本発明は、シールドシェル及びシールドコネクタに関する。
【背景技術】
【０００２】
特許文献１には、ハイブリッド車両のモータとインバータとの間を複数本の電線で接続する場合に、インバータ側のケーシングにボルトを介して固定されるシールドシェルが開示されている。シールドシェルは、金属製であって筒状をなし、内部にハーネス側コネクタが収容される。シールドシェルの後端部には、接続部が設けられ、接続部の前方には接続部よりも一回り大きい段部が設けられている。接続部の後端部外周面には、編組線（シールド部材）が被せ付けられる。編組線は、リング状の緊締具（固定部材）によって接続部に固定される。
【０００３】
また、接続部の前端部外周面には、グロメットの本体部が被せ付けられる。グロメットの本体部は、結束バンドによって接続部に固定される。さらに、グロメットには膨出部が外側に膨出して形成され、膨出部の内部に緊締具を収容する空間が確保されている。
【先行技術文献】
【特許文献】
【０００４】
【特許文献１】特開２０１４−６０８４４号公報
【発明の概要】
【発明が解決しようとする課題】
【０００５】
上記従来のシールドシェルにおいては、接続部の外周面が前後方向に凹凸無く連続する形態になっているため、緊締具が前後方向に位置ずれする可能性があった。仮に、緊締具が前方に位置ずれすると、グロメットに緊締具が干渉して、グロメットのシール性に影響を与えるおそれがあった。
【０００６】
本発明は上記のような事情に基づいて完成されたものであって、シールド部材を固定する固定部材が他の部材と干渉するのを回避することができるシールドシェル及びシールドコネクタを提供することを目的とする。
【課題を解決するための手段】
【０００７】
本発明は、外周面にシールド部材が被さって固定部材で固定されるシールドシェルであって、前記外周面には、前記シールド部材の固定領域が位置する後部から前部に向けて拡径する段差部と、周方向の一部から外側に突出し、前記固定領域に取り付けられる前記固定部材の前端位置を規制する位置規制部とが、設けられているところに特徴を有する。
【発明の効果】
【０００８】
固定部材の前端位置が位置規制部で規制されることにより、固定部材がシールドシェルに対して前方に位置ずれし、前方に存する他の部材と干渉するのを回避することができる。この場合に、位置規制部がシールドシェルの外周面における周方向の一部に設けられるに過ぎないため、他の部材と位置規制部との干渉も回避し易くなる。一方、位置規制部がシールドシェルの外周面における周方向の一部に設けられるに過ぎないと、固定部材が前後方向と交差する方向に傾動する懸念があるものの、本発明の場合、固定部材の前端が段差部と当接することで、固定部材が傾動するのを防止することができる。
【図面の簡単な説明】
【０００９】
【図１】本発明の実施例１に係るシールドコネクタの要部破断した側面図である。
【図２】シールドシェルの側面図である。
【図３】シールドシェルの平面図である。
【図４】シールドシェルの背面図である。
【図５】シールドシェルにリテーナが正規に組み付けられた状態を示す背面図である。
【図６】シールドシェルにリテーナが前後反転して組み付けられようとする状態を示す背面図である。
【図７】カバーの正面図である。
【図８】シールド導電路の配索経路を示す概略側面図である。
【発明を実施するための形態】
【００１０】
本発明の好ましい実施形態を以下に示す。
前記外周面がほぼ平坦な直線部を有し、前記位置規制部が前記直線部に設けられている。これによれば、位置規制部を容易に形成することができるとともに、位置規制部の視認性が良好になる。
【００１１】
前記前部には、前記シールド部材及び前記固定部材を包囲するグロメットが被せられ、前記位置規制部が前記後部に進入する形態で設けられている。これによれば、固定部材をグロメットの後方に離間して配置することが可能となるため、グロメットが固定部材と干渉するのを回避し易くなる。
【００１２】
前記外周面の後端には、フランジ部が外側に張り出して設けられている。これによれば、固定部材がシールドシェルから後方へ抜け出るのを防止することができる。
【００１３】
また、上記記載のシールドシェルと、前記シールドシェルが取り付けられるハウジングと、前記ハウジングに収容される端子金具とを備えたシールドコネクタであって、前記シールド部材が前記端子金具に接続された電線の周囲を覆うように設けられているところに特徴を有する。これにより、シールドシェルを備えたシールドコネクタが構成される。
【００１４】
さらに、前記ハウジングとの間に前記シールドシェルを挟持するカバーを備え、前記カバーにおける前記位置規制部と対向する位置には、逃げ凹部が設けられている。これによれば、カバーの取り付けの過程で逃げ凹部に位置規制部が通過して逃げることができる。とくに、本発明の場合、位置規制部がシールドシェルの外周面における周方向の一部に設けられるに過ぎないため、逃げ凹部の形成範囲を小さくすることができ、カバーの強度が必要以上に低下することがない。
【００１５】
＜実施例１＞
以下、実施例１を図面に基づいて説明する。実施例１は、図８に示すように、車両２の後方に搭載されたバッテリ３からジャンクションボックス４を経由してエアコンのコンプレッサー５に電力を供給するシールド導電路６の端部に設けられるシールドコネクタ１０とシールドコネクタ１０に備わるシールドシェル１２とを例示するものである。シールドコネクタ１０は、ジャンクションボックス４側から車両２の床下を通って延びる電線９０の端部に固定され、コンプレッサー５側から延びる電線９の端部に固定された相手コネクタ８（図１を参照）に接続される。なお、以下の説明において、前後方向については、図１〜図３の左側を前側とし、上下方向は、図３を除く各図を基準とする。
【００１６】
シールドコネクタ１０は、合成樹脂製のハウジング１１と、導電金属製のシールドシェル１２と、合成樹脂製のカバー１３とを備えている。図１に示すように、シールドシェル１２の外周面には、電線９０の周囲を覆うシールド部材１４が被せ付けられる。
【００１７】
シールド部材１４は、導電性の金属細線（例えば、銅）を多数編み込んで筒状に形成した編組線として構成される。シールド部材１４の前端部は、シールドシェル１２の外周面の固定領域１５に固定部材１６を介して固定され、シールド部材１４の後端部は、電線９０が挿通される図示しないシールドパイプの端部に他の固定部材を介して固定される。
【００１８】
固定部材１６は、金属製の環状部材であって、シールド部材１４の外周を包囲した状態から縮径させられ、シールド部材１４をシールドシェル１２にかしめ固定する。
【００１９】
ハウジング１１は、ハウジング本体１７と、ハウジング本体１７の周囲を取り囲む嵌合筒部１８とを有している。ハウジング本体１７と嵌合筒部１８との間には、相手コネクタ８を嵌合可能な空間が前方に開放されている。ハウジング本体１７には２つの端子金具１９（１つのみ図示）が収容されている。端子金具１９は、前端部に箱部を有する雌型端子金具として構成される。ハウジング１１が相手コネクタ８に嵌合されると、端子金具１９の箱部に、相手コネクタ８に装着された雄タブ７が挿入されて接続される。また、端子金具１９は、電線９０の端部に圧着により接続されている。
【００２０】
図１に示すように、ハウジング本体１７には挿入凹部２１が後面に開口して設けられ、挿入凹部２１には後方からシールドシェル１２が挿入される。
シールドシェル１２は、前後方向に延出する形態であって、外周面の前後方向略中央部に、ストッパ部２２が外側に張り出して設けられている。シールドシェル１２が挿入凹部２１に挿入され、ストッパ部２２が挿入凹部２１の後端開口に当接することで、シールドシェル１２のそれ以上の挿入動作が規制される。
【００２１】
シールドシェル１２のうち、ストッパ部２２の前方に配置される挿入部２３は、挿入凹部２１に挿入され、相手コネクタ８側に設けられた図示しないアース部材に接触して導通接続される。図４に示すように、挿入部２３の内側には、２つの電線挿通孔２４が横並びで開設されている。電線挿通孔２４には、各電線９０が個別に挿通される。
【００２２】
シールドシェル１２のうち、ストッパ部２２の後方に配置される接続部２５は、後方に開放される筒状部２６を有している。図４に示すように、筒状部２６は、上下一対の長辺部２７と左右一対の短辺部２８とを有している。長辺部２７の外周面の左右方向略中央部には、概ね左右方向に沿った略平坦な直線部２９が設けられている。短辺部２８の外周面は、全体が湾曲状をなしている。
【００２３】
図１に示すように、筒状部２６の内側には、後方からシール部材３０が挿入され、さらにシール部材３０に続いてリテーナ３１が挿入される。
シール部材３０は、一括型のゴム栓であって、内側に、電線挿通孔２４と連通するシール孔３２が横並びで開設されている。シール孔３２には電線９０が挿通され、シール孔３２の内周面に設けられた内周リップ３３が電線９０の外周面に弾性的に密着することで、電線９０周りのシールがとられる。また、シール部材３０の外周面には外周リップ３４が設けられ、シール部材３０が筒状部２６に挿入された状態では、外周リップ３４が筒状部２６の内周面に弾性的に密着することで、筒状部２６内のシールがとられる。
【００２４】
リテーナ３１は合成樹脂製であって、筒状部２６に挿入された状態でシール部材３０の後面に当接可能に配置され、もってシール部材３０の後方への抜け出しを規制する役割をはたす。リテーナ３１には、シール孔３２と連通する貫通孔３５が横並びで開設されている。貫通孔３５には電線９０が挿通される。
【００２５】
図５及び図６に示すように、リテーナ３１の上下両端部の左右方向略中央部には、一対のロック片３６が設けられている。ロック片３６は、上下方向に撓み変形可能とされている。筒状部２６の両長辺部２７の左右方向略中央部には、ロック片３６を受けるロック孔３７が開設されている（図４を参照）。ロック片３６がロック孔３７に弾性的に嵌まり込むことにより、リテーナ３１が筒状部２６に保持される。
【００２６】
リテーナ３１の外周面は、筒状部２６の内周面に沿った部分を有し、対角方向に湾曲状をなす両角部に、凹溝状の誤組防止受部３８が切り欠くようにして設けられている。図６に示すように、リテーナ３１の内側には、貫通孔３５を包囲する円筒部３９から誤組防止受部３８にかけて径方向に延出する補強用のリブ４１が架設されている。かかるリブ４１によって、リテーナ３１の強度が誤組防止受部３８の形成に起因して低下するのを防止することが可能となっている。
【００２７】
筒状部２６の内周面には、対角方向に湾曲状をなす両角部に、凸条の誤組防止部４２が設けられている。図５に示すように、リテーナ３１が正規の組み付け姿勢をとっている場合には、誤組防止部４２が誤組防止受部３８に挿入され、リテーナ３１が筒状部２６に案内されつつ挿入される。一方、図６に示すように、リテーナ３１が前後反転した不正な組み付け姿勢をとっている場合には、誤組防止部４２が、リテーナ３１の前端における誤組防止受部３８が開口していない両角部に当接し、リテーナ３１が筒状部２６に挿入されるのが阻止される。このため、リテーナ３１が誤った組み付け姿勢で筒状部２６に挿入される事態が防止される。その結果、シール部材３０がリテーナ３１によって適正に保持され、所定のシール性を発揮することが可能となっている。
【００２８】
図２及び図３に示すように、接続部２５の外周面における前後方向途中（詳細には前後方向中央よりやや後方）には、段差部４３が周方向の全周に亘って設けられている。接続部２５の外周面のうち、段差部４３より後側の後部４４は、前側の前部４５よりも一段落ちて縮径された形態になっている。接続部２５の後部４４には、後述する位置規制部４６の後方に、シールド部材１４の固定領域１５が設けられている。段差部４３は、接続部２５の前部４５から後部４４にかけて縮径する形態になっている。
【００２９】
また、接続部２５の外周面の直線部２９における径方向両端部（上下方向両端部）には、一対の位置規制部４６が突設されている。位置規制部４６は、段差部４３に一体に設けられ、段差部４３の深さを超える突出寸法を有している。具体的には、位置規制部４６は、接続部２５の外周面の直線部２９において、段差部４３の段差を埋める形態で、段差部４３から後部４４に進入する前後幅を有しつつ段差部４３に沿って左右方向（周方向）に延出する突条の形態とされている（図３を参照）。位置規制部４６の後方には、ロック孔３７が配置されている。位置規制部４６の左右方向の長さ寸法は、ロック孔３７の左右方向の開口幅より少し大きくされている。図２に示すように、位置規制部４６の後端面は、上下方向にほぼ沿って配置され、固定部材１６の前端位置を規制する規制面４７として構成される。
【００３０】
接続部２５の後部４４の後端には、フランジ部４８が外側に全周に亘って張り出すように設けられている。シールド部材１４の固定領域１５は、フランジ部４８の前方に設置されている。なお、位置規制部４６の突出寸法は、フランジ部４８の張出寸法よりも大きくされている。
【００３１】
図１に示すように、接続部２５の前部４５には、段差部４３よりも前方に、グロメット５０が被さるシール領域４９が設けられている。グロメット５０は、エラストマー等の弾性を有するゴム材であって、前後方向に延出する筒状をなし、図示しないシールドパイプからシールドシェル１２に亘る範囲にシールド部材１４を外側から覆うようにして装着される。グロメット５０には、伸縮可能な蛇腹部５１が設けられている。
【００３２】
グロメット５０の前端部には、かしめリング５２が固着されるシール部５３が設けられ、シール部５３の内周面には、複数条のシールリップ５４が周設されている。グロメット５０の前端部が接続部２５のシール領域４９に被せられ、シール部５３がかしめリング５２でかしめられることにより、シールリップ５４がシール領域４９に弾性的に密着し、シールドシェル１２とグロメット５０との間のシールがとられる。また、グロメット５０の前端部のうち、シール部５３より後方の部分には、膨出部５５が外側に膨出して設けられている。膨出部５５の内側には固定部材１６が配置され、グロメット５０が固定部材１６と干渉しないようにしてある。
【００３３】
カバー１３は、キャップ状であってハウジング１１に後方から取り付けられ、図７に示すように、前後方向に延出する筒状の外周部５６と、外周部５６の後端から内側に張り出す内周鍔部５７とを有している。図１に示すように、外周部５６は、挿入凹部２１からストッパ部２２に亘る範囲を外側から覆うように配置される。内周鍔部５７は、ストッパ部２２に後方から当接可能に配置され、内側にシールドシェル１２が挿通可能とされている。
【００３４】
図７に示すように、外周部５６の左右両端部には、一対のカバーロック部５８が設けられている。カバーロック部５８は、左右方向に撓み変形可能とされている。また、内周鍔部５７の上下両端部の内縁には、ハウジング１１への取付時に位置規制部４６と対向する一対の逃げ凹部５９が切り欠くように設けられている。逃げ凹部５９は、位置規制部４６の外形と対応する開口形状を呈している。ハウジング１１に後方からカバー１３が取り付けられると、カバーロック部５８がハウジング１１に設けられた図示しないカバーロック受部を弾性的に係止して、カバー１３がハウジング１１に取り付けられる。図１に示すように、カバー１３の取り付け完了時には、挿入凹部２１の後端と内周鍔部５７との間にストッパ部２２が前後方向に挟持され、これによってシールドシェル１２がハウジング１１に抜け止め状態で保持される。
【００３５】
次に、シールドコネクタ１０の組み付け手順及びシールド構造について説明する。
組み付けに際し、リテーナ３１、シール部材３０、カバー１３、シールドシェル１２、固定部材１６を電線９０に先通ししておく。続いて、電線９０の端部に接続された端子金具１９をハウジング本体１７に後方から挿入する。端子金具１９は図示しないランスによってハウジング本体１７に保持される。次いで、シール部材３０とリテーナ３１とを前方に移動させて筒状部２６に挿入し、リテーナ３１のロック片３６を筒状部２６のロック孔３７に係止させることで、筒状部２６にシール部材３０を保持させる。なお、シールドシェル１２を電線９０に先通しする前に、あらかじめシール部材３０とリテーナ３１とを筒状部２６に挿入保持させておいてもよい。
【００３６】
シールドシェル１２の挿入部２３をハウジング本体１７の挿入凹部２１に挿入させた状態で、カバー１３を前方に移動させ、カバーロック部５８を図示しないカバーロック受部に係止させることで、カバー１３をハウジング１１に保持させる。このとき、ストッパ部２２がカバー１３とハウジング本体１７との間に挟持され、シールドシェル１２がハウジング１１に保持される。また、カバー１３の組み付け過程では、逃げ凹部５９に位置規制部４６が通過して逃げるため、カバー１３が位置規制部４６と干渉するのを回避することができる。
【００３７】
続いて、シールド部材１４を、接続部２５の後部４４を覆うようにしてシールドシェル１２に被せる。このとき、段差部４３及び位置規制部４６が目印となることから、シールド部材１４が接続部２５の前部４５側にはみ出るのを防止することができる。次いで、固定部材１６をシールド部材１４の外側に位置させ、その状態で固定部材１６をかしめて、シールド部材１４を接続部２５の後部４４に固定する。
【００３８】
ところで、仮に、接続部２５に、位置規制部４６が無く、段差部４３のみが設けられているとすると、固定部材１６が、固定領域１５から前方に位置ずれして段差部４３に乗り上げられ、接続部２５の前部４５側に侵入して、グロメット５０のシール部５３と干渉する可能性がある。しかるに本実施例１の場合、接続部２５に、固定部材１６の前進を規制する規制面４７を有する位置規制部４６が設けられているため、固定部材１６は、位置規制部４６の規制面４７に当接することで、接続部２５の前部４５側に侵入するのが防止される。その結果、固定部材１６がグロメット５０のシール部５３と干渉するのを回避することができる。
【００３９】
一方、位置規制部４６が周方向の一部に設けられるに過ぎないため、固定部材１６が前後方向に対して傾くように変位する可能性があるものの（図３の破線部を参照）、本実施例１の場合、固定部材１６の前端が段差部４３に当接することで、固定部材１６のそれ以上の傾動が抑えられる。また、固定部材１６は、フランジ部４８に当接することで、後方への位置ずれが阻止される。
【００４０】
上記によりシールド部材１４をシールドシェル１２に固定した後、グロメット５０を接続部２５の前部４５に被せ付け、かしめリング５２でかしめて、グロメット５０のシール部５３をシールドシェル１２に固定する。このとき、膨出部５５の内側に固定部材１６が配置されるため、グロメット５０が固定部材１６と干渉するのを回避することができる。とくに、本実施例１の場合、固定部材１６が位置規制部４６よりも後方に位置する状態が担保されているため、シール部５３から十分に離れた位置に固定部材１６が存することになり、シール部５３が固定部材１６と干渉するのをより確実に回避することができる。その結果、シール部５３のシール性が良好に維持される。
【００４１】
以上説明したように、本実施例１によれば、固定部材１６の前端位置が位置規制部４６で規制されることにより、固定部材１６がシールドシェル１２に対して前方に位置ずれし、前方に存するグロメット５０と干渉するのを回避することができる。この場合に、位置規制部４６がシールドシェル１２の外周面における周方向の一部に設けられるに過ぎないため、グロメット５０と位置規制部４６との干渉も回避し易くなるのに加え、カバー１３の逃げ凹部５９の形成範囲（開口範囲）を小さくすることができ、カバー１３の強度低下を抑えることができる。
【００４２】
一方、位置規制部４６がシールドシェル１２の外周面における周方向の一部に設けられるに過ぎないと、固定部材１６が前後方向と交差する方向に傾動する懸念があるものの、本実施例１の場合、固定部材１６の前端が段差部４３と当接することで、固定部材１６が傾動するのを抑えることができる。
【００４３】
また、シールドシェル１２の外周面がほぼ平坦な直線部２９を有し、位置規制部４６が直線部２９に設けられているため、位置規制部４６の成形が容易になるのに加え、位置規制部４６の視認性が良好になる。
【００４４】
また、シールドシェル１２の接続部２５の前部４５には、シールド部材１４及び固定部材１６を包囲する形態のグロメット５０が被せられ、位置規制部４６が接続部２５の後部４４に進入する形態で設けられているため、固定部材１６をグロメット５０の後方に離間して配置させることが可能となり、グロメット５０が固定部材１６と干渉するのをより確実に防止することができる。
【００４５】
さらに、シールドシェル１２の外周面の後端には、フランジ部４８が外側に張り出して設けられているため、固定部材１６がシールドシェル１２から後方へ抜け出るのを防止することができる。
【００４６】
さらにまた、シールドコネクタ１０がハウジング１１との間にシールドシェル１２を挟持するカバー１３を備え、カバー１３における位置規制部４６と対向する位置に、逃げ凹部５９が設けられているため、カバー１３の取り付けの過程で逃げ凹部５９に位置規制部４６が通過して逃げることができる。
【００４７】
＜他の実施例＞
以下、他の実施例を簡単に説明する。
（１）位置規制部は、段差部と一体に設けられず、段差部から後方に離間して設けられるものであってもよい。
（２）位置規制部は、段差部と前後方向の同一位置に設けられるものであってもよい。
（３）位置規制部は、シールドシェルの外周面において、周方向の一箇所のみに設けられるものであってもよく、あるいは、周方向の三箇所以上の位置に間隔をあけて設けられるものであってもよい。
（４）シールドシェルの前部に配置されて固定部材との干渉が懸念される他の部材としては、グロメットに限らず、例えば、シールリングやアース部材等であってもよい。
【符号の説明】
【００４８】
１０…シールドコネクタ
１１…ハウジング
１２…シールドシェル
１３…カバー
１４…シールド部材
１５…固定領域
１６…固定部材
２５…接続部
２９…直線部
４３…段差部
４４…後部
４５…前部
４８…フランジ部
５０…グロメット
５９…逃げ凹部
【図１】
0006459942.tif 000002
【図２】
0006459942.tif 000003
【図３】
0006459942.tif 000004
【図４】
0006459942.tif 000005
【図５】
0006459942.tif 000006
【図６】
0006459942.tif 000007
【図７】
0006459942.tif 000008
【図８】
0006459942.tif 000009